(57)【要約】      （修正有）【課題】マッサージ効果や快適度にとって明らかなメリットを有し、また、マッサージヘッドが摩耗しにくく、使用寿命を延長できる折り畳み式マッサージ機構を提供する。【解決手段】上面にマッサージヘッド１１を有し、側辺にともに可動するように枢軸２０を枢設する二つのマッサージユニット１０と、マッサージヘッドと連動する駆動機構と、を有し、そのうち、マッサージヘッドの全ては、二つのマッサージユニットが折り畳まれる向きの面に位置し、更に、二つのマッサージユニットと接続されて、二つのマッサージユニットを蝶番状に折り畳み、かつ特定の角度に戻す弾力機構を有する。【選択図】図１
0003182997.tif 000002
【実用新案登録請求の範囲】
【請求項１】
上面にマッサージヘッドを有し、側辺にともに可動するように枢軸を枢設する二つのマッサージユニットと、
前記マッサージヘッドに連動する駆動機構と、を有し、
そのうち、前記マッサージヘッドの全てが前記二つのマッサージユニットの折り畳まれる向きの面に位置し、
更に、二つのマッサージユニットと接続されて、二つのマッサージユニットを蝶番状に折り畳み、かつ特定の角度に戻す弾力機構を有する、折り畳み式マッサージ機構。
【請求項２】
前記駆動機構は、前記マッサージユニットに位置するウォームギアと前記ウォームギアの動力を前記マッサージヘッドに伝える減速機構と、
動力源の駆動を受け、前記枢軸と同軸に設置され、また同時に前記ウォームギアに歯合する駆動タービンと、を有し、
前記ウォームギアと駆動タービンのシャフトが相互に垂直であることを特徴とする、請求項１に記載の折り畳み式マッサージ機構。
【請求項３】
前記枢軸が二段に分かれ、その軸向きの間に設置されるシャフトと同軸に、動力源とする電動モータを設置し、前記電動モータのシャフトは前記駆動タービンに固定されることを特徴とする、請求項２に記載の折り畳み式マッサージ機構。
【請求項４】
前記減速機構は、前記マッサージユニット表面に直立する複数の回転軸を有し、前記回転軸の末端は前記マッサージヘッドに水平に固定されることを特徴とする、請求項２に記載の折り畳み式マッサージ機構。
【請求項５】
前記弾力機構は、前記枢軸上に枢設されるトーションばねを含み、前記トーションばねの両端はそれぞれ二つのマッサージユニットに固定されることを特徴とする、請求項１に記載の折り畳み式マッサージ機構。
【請求項６】
前記弾力機構は、ベースを含み、前記ベースは前記枢軸と平行に固定され、前記ベースは二つの前記マッサージユニットの後に設置され、各前記マッサージユニットと前記ベースとの間に、バッファ部材をなす少なくとも一つの圧縮ばねを有することを特徴とする、請求項１に記載の折り畳み式マッサージ機構。
【請求項７】
前記弾力機構は、二つの前記マッサージユニットの同じ側辺に同時に接続される弾性部材を含むことを特徴とする、請求項１に記載の折り畳み式マッサージ機構。
【請求項８】
前記マッサージユニットのマッサージヘッドは前記枢軸と対称になるように設置されることを特徴とする、請求項１から７の何れか一項に記載の折り畳み式マッサージ機構。
【考案の詳細な説明】
【技術分野】
【０００１】
本考案は、人体マッサージ、健康器具に関し、特に、折り畳み式マッサージ機構に関する。
【背景技術】
【０００２】
人体用健康器具には既に多くの成熟した構造が存在する。一般的には、基本的マッサージ機能の機構を有するものであり、そして、前記機構を異なる装置に組み込み、適切なマッサージ機能を実現する。
【考案の概要】
【考案が解決しようとする課題】
【０００３】
人体と接触するという使用環境を考慮すると、この種のマッサージ機構は、バッファ機能を必然的に備えており、そして安全で快適にマッサージヘッドが人体と接触してマッサージを行う。従って、一般的なバッファ機能はいずれもマッサージヘッドにバネを組み合わせた設計を採用するか、または柔らかい材質のマッサージヘッドの形態を採用しており、マッサージヘッド自体に弾性の効果を有する。そして、マッサージヘッドが様々な不均衡な力を受けた場合、細かな後退動作および／または変形を行うことにより、人体表面の複雑な曲面に適応できる。この種の方法は容易に実現でき、幅広く運用されているが、依然解消できない欠点を有する。以下にその欠点を述べる。
【０００４】
それは、マッサージヘッド上のバッファ機能によるものである。動作が小さく、なおかつ、そのマッサージヘッドのバッファ動作の軌跡は往復的に上下に動くので、マッサージヘッドが人体の曲線の弧形に沿って密着するような効果は得られず、快適度は非常に制限されている。更に、柔らかい材質のマッサージヘッドを採用すると、柔らかい材質は摩擦力が大きいために、電動モータの負荷が容易に大きくなり、電動モータに対しての要求が更に厳しくなり、電動モータの寿命に大きく影響を与えるとともに、この摩擦力が大きいことにより、軟質ゴムが容易に磨滅してマッサージ機構全体の寿命に影響を与える。
【０００５】
そこで、従来のマッサージ機構のバッファ構造が十分に快適ではなく、かつマッサージヘッドの寿命が短いという欠点に対して、本考案は、以下のような折り畳み式マッサージ機構を提供する。
【課題を解決するための手段】
【０００６】
前記折り畳み式マッサージ機構は、上面にマッサージヘッドを設置し、側辺にともに可動するように枢軸を枢設する二つのマッサージユニットと、前記枢軸または前記マッサージユニットに設置され、前記マッサージヘッドと連動する駆動機構と、を有し、そのうち、前記マッサージヘッドの全てが前記二つのマッサージユニットの折り畳むと向かい合う面に位置し、また、二つのマッサージユニットがともに接続されることにより、二つのマッサージユニットを蝶番状に折り畳み、かつ特定の角度に戻す弾力機構を有する。
【０００７】
本考案の好ましいものとして、以下のような改良ができる。
【０００８】
好ましい実施例において、前記駆動機構は、前記マッサージユニットに位置するウォームギアと前記ウォームギアの動力を前記マッサージヘッドに伝える減速機構と、動力源の駆動を受け、前記枢軸と同軸に設置され、同時に前記ウォームギアに歯合する駆動タービンを有し、前記ウォームギアと駆動タービンのシャフトは相互に垂直である。
【０００９】
好ましい実施例において、前記枢軸が二段に分かれ、その軸向きの間に設置されるシャフトと同軸に、動力源とする電動モータを設置し、前記電動モータのシャフトは前記駆動タービンに固定される。
【００１０】
好ましい実施例において、前記減速機構は、前記マッサージユニット表面に直立する複数の回転軸を有し、前記回転軸の末端は前記マッサージヘッドに水平に固定される。
【００１１】
好ましい実施例において、前記弾力機構は前記枢軸上に枢設されるトーションばねを含み、前記トーションばねの両端はそれぞれ二つのマッサージユニットに固定される。
【００１２】
好ましい実施例において、前記弾力機構はベースを含み、前記ベースは前記枢軸と平行に固定される。前記ベースは二つの前記マッサージユニットの後に設置され、各前記マッサージユニットと前記ベースとの間に、バッファ部材をなす少なくとも一つの圧縮ばねを有する。
【００１３】
好ましい実施例において、前記弾力機構は二つの前記マッサージユニットの同じ側辺に同時に接続される弾性部材を含む。
【００１４】
好ましい実施例において、前記マッサージユニットのマッサージヘッドは前記枢軸と対称になるように設置される。
【考案の効果】
【００１５】
本考案がもたらす有益な効果は以下の通りである。
【００１６】
１．本考案の全てのマッサージ機構のバッファ機能は、従来のマッサージヘッドの直線バッファ方式とは異なり、マッサージユニットが枢軸の周向きに沿って回転する折り畳み式開閉バッファ方式を採用しており、マッサージヘッドの最終バッファルートは弧形の軌跡を描き、一方では、前記弧形の軌跡は直線軌跡と比較して更に人体表面曲線に密着し、マッサージ効果や快適度にとって明らかなメリットを有する。更に一方では、主なバッファ部材としての弾力機構がマッサージヘッドから独立しているので、マッサージヘッドが摩耗しにくく、使用寿命を延長できる。
【００１７】
２．本考案は、枢軸と同軸に設置された駆動タービンを採用し、これに垂直に保持するウォームギアを合わせて、当該構造は枢軸に沿って折り畳みバッファを行う時、その動力や摩擦がマッサージユニットに影響を与えず、また、減速機構の簡潔性、信頼性が維持される。
【００１８】
３．弾力機構の形態が多様であり、様々な位置に設置可能であり、異なる応用環境に適合する。
【図面の簡単な説明】
【００１９】
【図１】本考案の実施例１の俯瞰図である。
【図２】図１に示す実施例１の正面図である。
【図３】図１に示す実施例１の主要部材の分解図である。
【図４】本考案の実施例２の俯瞰図である。
【図５】本考案の実施例３の俯瞰図である。
【考案を実施するための形態】
【００２０】
以下は、本考案の実施例を図面と併せて更に説明したものである。
【００２１】
（実施例１）
図１から図３は、本考案が示す折り畳み式マッサージ機構の図である。
【００２２】
二つのマッサージユニット１０は、その上面に枢軸２０と対称となるようにマッサージヘッド１１を設置し、その側辺の枢設部１７は軸孔１８により枢軸２０にともに可動枢設することにより、二つのマッサージユニット１０が蝶番状を呈する。マッサージユニット１０と枢軸２０上に駆動機構を設置し、前記駆動機構は、ウォームギア１２と、駆動タービン３１と、減速機構とを含む。そのうち、ウォームギア１２はウォームギア１２の動力をマッサージヘッド１１の減速機構に伝える。図３からわかるように、本実施例において減速機構はギアボックスにより実現され、ウォームギア１２に固設された主動輪１３と、主動輪の駆動を受ける従動輪１４および二つの従動輪１４に連動する連動輪を含む。そして、各従動輪１４上で直立に固設される回転軸がマッサージヘッド１１に水平に取り付けられる。
【００２３】
駆動タービン３１は電動モータ３０の駆動を受ける。電動モータ３０は本装置の動力源である。駆動タービン３１は電動モータ３０の伝動軸に固定され、かつ枢軸２０と同軸に設置される。実際において、枢軸２０はそれぞれ二段に分かれ、電動モータ３０は両者の軸向きの間に固定される。枢軸２０と電動モータ３０は上部ケース２９と下部ケース２８中に固定され、モジュールの形態を構成する。マッサージユニット１０上のウォームギア１２は駆動タービン３１に同時に歯合され、かつウォームギア１２と駆動タービン３１のシャフトは相互に垂直である。本実施例においてマッサージヘッド１１は全て二つのマッサージユニット１０が折り畳まれて向き合う面に位置する。更に、弾力機構を有する。本実施例の弾力機構は、枢軸２０に枢設されるトーションばね４１を含む。トーションばね４１の両端はそれぞれ二つのマッサージユニット１０に固定され、かつ二つを有し、それぞれマッサージユニット１０と枢軸２０の枢設部位に位置する。前記採用されたトーションばね４１の弾力機構は、二つのマッサージユニット１０をもとの位置に戻す機能を有し、特定の角度を呈するように折り畳まれる。
【００２４】
以上より、本考案の全てのマッサージ機構のバッファ機能は、従来のマッサージヘッド１１の直線バッファ方式とは異なり、図１の矢印で示すように、マッサージユニット１０が枢軸２０の周向きに回転するように折り畳まれる開閉バッファ方式を採用する。マッサージヘッド１１の最終バッファルートは弧形軌跡を描き、一方では前記弧形軌跡が直線軌跡と比較して更に人体表面の曲線に密着し、マッサージ効果や快適度にとって、いずれも明らかなメリットを有する。更に、主なバッファ部材としての弾力機構（本例におけるトーションばね４１）がマッサージヘッド１１から独立しているので、マッサージヘッドに余計な圧力がかからず、マッサージヘッド１１が摩耗しにくく、その使用寿命を延長できる。よって、マッサージヘッド１１は直接軸向きにマッサージユニット１０に固設でき、その強度と信頼性を大きく向上できる。
【００２５】
特に、本考案は、枢軸２０に同軸に設置される駆動タービン３１を採用して、これと垂直に保持するウォームギア１２と合わせて、当該構造はマッサージユニット１０が枢軸２０に沿って折り畳みバッファを行う時、その動力、摩擦が影響を与えず、また減速機構が簡潔であり信頼性が維持できる。
【００２６】
（実施例２）
図４は、本考案の実施例２の俯瞰図である。
【００２７】
本実施例のマッサージユニット１０は、マッサージヘッド１１の枢軸２０等の構造が実施例１に類似している。異なる箇所は、本実施例の弾力機構がベース４２を含んでいることである。前記ベース４２は枢軸２０と平行に固定される。前記ベース４２は二つの前記マッサージユニット１０の後に置かれる。各マッサージユニット１０とベース４２との間に二つの圧縮ばね４３を有し、前記圧縮ばね４３はバッファ部材となる。マッサージユニット１０が図４中の矢印方向にバッファ軌跡を生成すると、圧縮ばね４３はこの方向に変形応力を提供して、バッファ機能を実現する。この方式の特徴は、圧縮ばね４３が外付けされるので、比較的大きな応力と良好な互換性が実現できることである。
【００２８】
（実施例３）
図５は、本考案の実施例３の俯瞰図である。
【００２９】
本実施例のマッサージユニット１０は、マッサージヘッド１１の枢軸２０等の構造が実施例１に類似しており、異なる箇所は、本実施例の弾力機構が二つの弾性部材４５を含んでいることである。この弾性部材４５はそれぞれ二つのマッサージユニット１０の同じ側辺に同時に接続されているので、マッサージユニット１０の上下側辺に弾性応力を提供できる。当該実施例の特徴は、小型化が実現できることである。
【産業上の利用可能性】
【００３０】
以上は、本考案の好ましい実施例を述べたに過ぎず、本考案の登録請求の範囲を制限するものではない。本考案の登録請求の範囲および本明細書内容と同等の変更や装飾であれば、いずれも本考案の登録請求の範囲内に属す。
【図１】
0003182997.tif 000003
【図２】
0003182997.tif 000004
【図３】
0003182997.tif 000005
【図４】
0003182997.tif 000006
【図５】
0003182997.tif 000007